(57)【特許請求の範囲】
【請求項１】
便器に近接して配置されるべきハウジング、前記ハウジングに形成された開口部を覆うように設けられたシャッター、前記ハウジング内に収容されたシリンダ、前記シリンダを前記シャッターを押し開くように前進せしめて前記シリンダの先端部を前記ハウジングの前方外側に変移させる駆動手段および前記シリンダ内に進退可能に装架されて前記シリンダの変移後に供給された来た洗浄水の圧力により前進した後に前記洗浄水を人体局部に向けて噴射するノズルを備えた温水洗浄装置。
【発明の詳細な説明】
【０００１】
【発明の属する技術分野】
本発明は、温水洗浄装置に関する。
【０００２】
【従来の技術】
従来、例えば、特開昭６２−１１２８３５号公報に開示されている装置においては、便器の横側に配設されたハウジングには、便器側に開口する開口部が形成されており、この開口部は、自重で閉じるシャッターが設けられている。そして、ハウジング内に収容されたノズルが便器側に前進してシャッターを押し開いた後、便器の略中央部に静止すると、ノズルの先端部の孔から、洗浄水が人体局部に向けて噴射されるようになっている。このシャッターは、ノズルが非使用時にハウジング内にあるとき、小便が飛散してノズルの先端部に付着するのを防止するために設けられている。
【０００３】
【発明が解決しようとする課題】
ところが、シャッターの押し開きを、ノズル自身が、低速ではあるが直接にシャッターに対して衝突する態様をとっているので、長期間の使用により、ノズルの寿命を早めるという不具合があった。
【０００４】
それ故に、本発明は、かような不具合がない温水洗浄装置を提供することを、その技術的課題とするものである。
【０００５】
【課題を解決するための手段】
上記技術的課題を解決するために、本発明の請求項１において講じた技術的手段は、便器に近接して配置されるべきハウジング、前記ハウジングに形成された開口部を覆うように設けられたシャッター、前記ハウジング内に収容されたシリンダ、前記ノズルを前記シャッターを押し開くように前進せしめて前記シリンダの先端部を前記ハウジングの前方外側に変移させる駆動手段および前記シリンダ内に進退可能に装架されて前記シリンダの変移後に供給された来た洗浄水の圧力により前進した後に前記洗浄水を人体局部に向けて噴射するノズルを備えた温水洗浄装置を構成したことである。
【０００６】
【作用】
上記技術的手段による作用は、以下の通りである。即ち、シャッターの押し開きをシリンダが行うので、ノズルとシャッターとの干渉することがなく、ノズルへの悪影響がない。
【０００７】
【実施の態様】
以下、本発明の実施の一態様を図面に基づいて説明する。
【０００８】
図１ないし図５において、温水洗浄装置１０は、便器（図示略）の後方上縁部に装架されるべきハウジング１１を備える。このハウジング１１の前方側には、周知のように、便座２０および便蓋１３が共通のピン（図示略）により枢支されている。ハウジング１１は、左右方向に延在する本体部１１ａと、この本体部１１ａの左側から前方に突出する突出部１１ｂ  とから構成されている。
【０００９】
ハウジング１１の本体部１１ａは、便器（図示略）の後方上縁部と連結されるベース部１１ｃとこのベース部１１ｃを覆うカバー部１１ｄとから構成されている。ハウジング１１の前方側には、開口部１１ｅが形成されており、この開口部１１ｅはシャッター１２で覆われるようになっている。しかして、シャッター１２の上側はピン１４にて枢支されており、シャッター１２は常時、鉛直をなすようになっている。
【００１０】
ハウジング１１の内部には、肛門洗浄機構のシリンダ１４が収容されている。シリンダ１４の後半部分は、ユニット１５のガイド部１５ａに移動可能には保持されている。しかして、シリンダ１４の後半部分の下側にはラック１５が形成されており、このラック１５は、ユニット１５の基部１５ｂに固定されたモータ１６により回動されるギャ１７と噛合している。そして、モータ１６が正方向に所定数だけ回転すると、その回転数に対応する角度だけギャ１７が正方向に回動するので、シリンダ１４が正方向ないしは前方に所定距離だけ移動するようになっている。また、この移動が完了してシリンダ１４が静止した後に、モータ１６を他正方向に所定数だけ回転するとシリンダ１４が元の位置に復帰するようになっている。
【００１１】
シリンダ１４内にはノズル１８が進退可能に装架されており、シャワー洗浄スイッチ３１がオンされると、その旨を受けた制御装置４０が、まずモータ１６をしてシリンダ１４を第１所定量だけ前進せしめて、図５に示されるシャワー洗浄位置に変移せしめる。この前進の途中、図４に示されるように、シリンダ１４はシャッター１２を押し開くようになっている。シリンダ１４のシャワー洗浄位置への変移の後、制御装置４０は、第１電磁弁４１および第２電磁弁４２を開き、給水口から温水タンク４３に水圧を圧送せしめて、温水タンク４３に貯溜されている温水をシリンダ１４内のノズル後部に供給するようになっている。しかして、かように圧送された温水は、ノズル１８を所定量だけ前進せしめてシリンダ１４から突出せしめ、しかる後に、ノズル１８の先端部に形成された孔１８ａ  から温水が肛門に向けて噴射されるようになっている。この洗浄は、洗浄停止スイッチ３３をオンすることにより停止されるようになっている。
【００１２】
また、図示こそされないが、温水洗浄装置１０は、上記した肛門洗浄機構と同様の構成を持つビデ洗浄機構を備えており、このビデ洗浄機構のシリンダに収容されるノズル５０には、ビデ洗浄スイッチ３２がオンされて第２所定量だけシリンダと共に変移した後、開かれた第３電磁弁５１を介して温水が供給されるようになっている。そして、この温水が女性のビデ部に向けて噴射されるようになっている。
【００１３】
肛門洗浄スイッチ３１、ビデ洗浄スイッチ３２および洗浄停止スイッチ３３は、メインスイッチ３０と共に、ハウジング１１の本体部１１ａの左側から前方に突出する突出部１１ｂ  に露呈・配置されており、これらスイッチと連結されて突出部１１ｂ  内に収容されたスイッチ回路基板３７を介して、制御部４０に電気的に接続されている。
【００１４】
尚、上記した実施の形態は、単なる例示であって、請求項の記載で定義される本願発明の技術的範囲を限定するものではない。従って、例えば、ハウジングを便器の横側に設置するようにしても良いことは、勿論である。
【００１５】
【発明の効果】
請求項１の発明によれば、シャッターの押し開きはシリンダで行なわれるので、ノズルがシャッターと接触して、寿命を短くするようなことはない。
【図面の簡単な説明】
【図１】本発明の温水洗浄装置の一実施形態の外観を示す図である。
【図２】図１に示す装置のシステムを示すブロック図である。
【図３】シリンダ格納時の図１に示す装置の断面図である。
【図４】シリンダ移動時の図１に示す装置の断面図である。
【図５】図１に示す装置の洗浄時の断面図である。
【符号の説明】
１１：    ハウジング
１１ｅ：  開口部
１２：    シャッター
１４：    シリンダ
１６：    モータ（駆動手段）
１８：    ノズル
【図１】
0003555358.tif 000002
【図２】
0003555358.tif 000003
【図３】
0003555358.tif 000004
【図４】
0003555358.tif 000005
【図５】
0003555358.tif 000006